(57)【特許請求の範囲】
【請求項１】
枠と、縦軸を支点に回動可能に枠に取付けた障子と、障子の開き角度を規制するストッパー機構とを備え、ストッパー機構は、戸先側縦枠に設けたアームと、障子の戸先部に設けた受けとを有し、アームは、上端部を支点に回動可能に設けてあり、下向きに回動する方向に付勢してあり、受けは、上側に開口した係合溝を有し、障子を少し開けた状態でアームを操作することで、アーム下端部を受けの係合溝に係脱自在であり、係合溝の下部にアームが外れるのを防ぐ引っ掛かり部を有することを特徴とする建具。
【発明の詳細な説明】
【技術分野】
【０００１】
本発明は、障子の開き角度を規制するストッパー機構を備える建具に関する。
【背景技術】
【０００２】
火災などの緊急時に、建築物の窓から消火、救出活動のため進入する非常用進入口の設置の義務付け及び構造に関する基準（建築基準法施行令 第１２６条６項及び７項）が定められており、非常時にその進入口から容易に進入できることが求められていた。窓には、障子の開き角度を規制するストッパー機構を備えるものがあり、救助に来た消防隊員等がハンドルを操作するなどして障子を開けると、ストッパー機構が働いて障子が少ししか開かず、そのストッパー機構を解除するのにまた時間がかかる。すなわち障子を開ける動作とストッパー機構を解除する動作のツーアクションの動作が必要なため、障子を全開にするのに時間がかかり、救助が遅れるおそれがあった。
【発明の概要】
【発明が解決しようとする課題】
【０００３】
本発明は以上に述べた実情に鑑み、火災などの緊急時にストッパー機構を容易に解除することのできる建具の提供を目的とする。
【課題を解決するための手段】
【０００４】
上記の課題を達成するために請求項１記載の発明による建具は、枠と、縦軸を支点に回動可能に枠に取付けた障子と、障子の開き角度を規制するストッパー機構とを備え、ストッパー機構は、戸先側縦枠に設けたアームと、障子の戸先部に設けた受けとを有し、アームは、上端部を支点に回動可能に設けてあり、下向きに回動する方向に付勢してあり、受けは、上側に開口した係合溝を有し、障子を少し開けた状態でアームを操作することで、アーム下端部を受けの係合溝に係脱自在であり、係合溝の下部にアームが外れるのを防ぐ引っ掛かり部を有することを特徴とする。
【発明の効果】
【０００５】
請求項１記載の発明による建具は、障子の開き角度を規制するストッパー機構が、戸先側縦枠に設けたアームと、障子の戸先部に設けた受けとで構成され、アームは、上端部を支点に回動可能に設けてあり、下向きに回動する方向に付勢してあり、受けは、上側に開口した係合溝を有し、障子を少し開けた状態でアームを操作することで、アーム下端部を受けの係合溝に係脱自在であるため、閉じ切った障子を開ける際にストッパー機構が働かない。また、障子を少し開けた状態でストッパー機構が働いている場合であったとしても、室内側と室外側のどちらからでもストッパー機構を容易に解除することができるので、火災などの緊急時に消防隊員等が障子を素早く全開し、迅速な救出が行える。さらに、受けの係合溝の下部にアームが外れるのを防ぐ引っ掛かり部を有することで、通常の使用状態で風等によりストッパー機構が勝手に外れることを防止できる。
【図面の簡単な説明】
【０００６】
【図１】本発明の第１実施形態に係る建具の横断面図である。
【図２】第１実施形態の建具の戸先側の部分を拡大して示す横断面図である。
【図３】第１実施形態の建具の室内側正面図である。
【図４】（ａ）は第１実施形態の建具の縦枠に設けられるアームを枠の内周側から見た側面図であり、（ｂ）は同アームを室外側から見た正面図である。
【図５】（ａ）は第１実施形態の建具の障子の戸先部に設けられる受けの平面図であり、（ｂ）は同受けの室内側から見た正面図であり、（ｃ）は同受けの戸先側から見た側面図である。
【図６】第１実施形態の建具において、ストッパー機構を働かせた状態を示す平面図である。
【図７】第１実施形態の建具において、アームを受けと係合させるときの状態を示す枠外周側から見た側面図である。
【図８】第１実施形態の建具において、ストッパー機構を働かせた状態を示す枠外周側から見た側面図である。
【図９】本発明の第２実施形態に係る建具の横断面図である。
【図１０】第２実施形態の建具の戸先側の部分を拡大して示す横断面図である。
【図１１】第２実施形態の建具の室内側正面図である。
【図１２】第２実施形態の建具において、ストッパー機構を働かせた状態を示す平面図である。
【図１３】第２実施形態の建具において、ストッパー機構を働かせた状態を示す枠外周側から見た側面図である。
【発明を実施するための形態】
【０００７】
以下、本発明の実施の形態を図面に基づいて説明する。図１〜８は、本発明の建具の第１実施形態を示している。この建具は、住宅用の開き窓であり、図１〜３に示すように、躯体開口部に設置される枠１と、一方の縦枠４ｂに蝶番９にて取付けた障子２とを備える。障子２は、蝶番９の軸９ａを支点に室外側に最大で約１００°開き、全開時の有効開口寸法は横が約７５０ｍｍ、縦が約１２００ｍｍと、かなり大型の窓となっており、火災などの緊急時には、この窓を緊急脱出口として用いることができる。さらに本建具は、風による障子２のあおり止めや、プライバシー確保等のために、図６，８に示すように、障子２を少し開けた状態、具体的には障子２を約１０°開いた状態で障子２を固定できるストッパー機構３を備えている。
【０００８】
枠１は、図１〜３に示すように、上枠１０と下枠１１と左右の縦枠４ａ，４ｂを枠組みして構成してある。上枠１０と下枠１１と縦枠４ａ，４ｂは、それぞれアルミ形材１２と、アルミ形材１２の室内側の見えがかり部分を覆う樹脂形材１３とで構成してある。
障子２は、上框１４と下框１５と戸先側及び吊元側の縦框１６ａ，１６ｂとを框組みし、その内側にガラス（複層ガラス）１７を嵌め込んで構成してある。各框１４，１５，１６ａ，１６ｂは、それぞれ室外側に配置したアルミ形材１８と、アルミ形材１８の室内側を覆う樹脂形材１９とで構成してある。
戸先側の縦框１６ａの室内側面には、図３に示すように、カムラッチハンドル３１が取付けてある。障子２の室外側には、ハンドルを有していない。
【０００９】
ストッパー機構３は、図２，３に示すように、戸先側の縦枠４ａに設けたアーム５と、障子２の戸先部に設けた受け６とで構成される。アーム５は、図２，４に示すように、縦枠４ａの内周側見込面に取付けてあって、上端部を水平軸２０で軸着し、室外側に向けて回動可能となっている。水平軸２０の周りにはバネ２１が設置してあり、図４中の矢印２２に示すように、バネ２１によりアーム５を下向きに回動する方向に付勢してある。アーム５の下端部には、係合ピン２３が枠内周側に突出して設けてある。係合ピン２３は、先端部に抜け止め用の大径部２４を有している。図中の符号２５は、アーム５を縦枠４ａに取付けるための取付け金具であって、取付け金具２５にアーム５を支持する水平軸２０が固定して設けてある。取付け金具２５は、取付ネジ２６の挿通孔２７が上下方向の長孔に形成してあり、取付位置を上下に調整できる。
受け６は、図２，５に示すように、戸先側縦框１６ａの戸先側の見込面に形成された溝２８内にネジ２９で取付けてあって、溝２８より室内側に突出する突片３０を有し、突片３０には上側が開口した係合溝７が略Ｕ字形の形状で設けてある。係合溝７の下部の室内側の縁の部分には、円弧状の形で室内側にさらに切り込んだ引っ掛かり部８が設けてある。係合溝７の室外側及び室内側の縁の上端部は、斜めに面取り３５がしてある。アーム５とその取付け金具２５、及び受け６は、ステンレスの板材を加工して形成してある。
このようにアーム５と受け６は、戸先側の縦枠４ａと縦框１６ａの見込面間の隙間に設けてあり、障子２を閉じた状態ではアーム５と受け６とは係合しておらず、縦枠４ａと縦框１６ａの間に隠れて見えないようになっている（図２，３参照）。
【００１０】
ストッパー機構３を働かせるときは、室内側から片方の手（実施形態のものでは右手）でカムラッチハンドル３１を操作して障子２を少し開け、図７に示すように、もう片方の手（実施形態のものでは左手）でアーム５をバネ２１の付勢力に抗して室外側に回動させ、アーム５下端部の係合ピン２３を受け６の係合溝７に上方から落し込んで係合させる。図８に示すように、アーム５の係合ピン２３が受け６の係合溝７と係合すると、アーム５がバネ２１で下向きに付勢されているため自然に外れにくく、特に障子２が風にあおられて室外側に引っ張られたときに、係合ピン２３が係合溝７の下部に設けた引っ掛かり部８に引っ掛かるため、風により係合が外れるのを確実に防止できる。ストッパー機構３を解除する際には、障子２が少し開いたままの状態で、障子２を閉める方向に力を加えつつ、アーム５に手をかけて上向きに引っ張れば、アーム５の係合ピン２３が受け６の係合溝７から抜け、ストッパー機構３が解除される。この解除操作は、室内側からだけでなく、室外側からも容易に行えるので、火災などの緊急時に消防隊員等が室外側からストッパー機構３を解除し、窓から迅速な救助活動が行える。
【００１１】
以上に述べたように本建具は、障子２の開き角度を規制するストッパー機構３が、戸先側縦枠４ａに設けたアーム５と、障子２の戸先部に設けた受け６とで構成され、アーム５は、上端部を支点に回動可能に設けてあり、下向きに回動する方向に付勢してあり、受け６は、上側に開口した係合溝７を有し、障子２を少し開けた状態でアーム５を操作することで、アーム５下端部を受け６の係合溝７に係脱自在であるため、閉じ切った障子２を開ける際にはストッパー機構３が働かない。また、障子を少し開けた状態でストッパー機構３が働いている場合であったとしても、室内側と室外側のどちらからでもストッパー機構３を容易に解除することができるので、火災などの緊急時に消防隊員等が障子２を素早く全開し、迅速な救出が行える。さらに、受け６の係合溝７の下部にアーム５が外れるのを防ぐ引っ掛かり部８を有することで、通常の使用状態で風等によりストッパー機構３が勝手に外れることを防止できる。
さらに本実施形態の建具は、ストッパー機構３を縦枠４ａの内周側見込面と障子２の戸先側の見込面との間の隙間に配置したので、障子２を閉鎖した状態でストッパー機構３が露出せず、意匠性を妨げない。また、アーム５を縦枠４ａ側に、受け６を障子２側に設けたことで、アーム５を係脱する際、容易に目視確認ができるため、障子２を開きながらアーム５を受け６に引っ掛ける作業が、よりしやすくなっている。そして、室内側から操作するときは一方の手で障子２の開閉操作を行い、他方の手でアーム５の操作を行うことができるので、係脱操作が容易に行える。
なお、本実施形態の建具は、障子２の室外側にハンドルを有していないため、火災などの緊急時に消防隊員等がかけつけたときに障子２が閉じていた場合は、室内側のハンドル３１の付近でガラス１７に穴を開け、その穴から手を差し入れてハンドル１７を操作して障子２を開ける。ストッパー機構３が働いた状態になっているときは（このとき障子２は少し開いている）、ストッパー機構３を解除するだけで障子２を全開できる。
【００１２】
図９〜１３は、本発明の建具の第２実施形態を示している。本実施形態は、第１実施形態と同様に住宅用の開き窓であって、防火仕様のものである（第１実施形態は非防火仕様）。第２実施形態は、図１０に示すように、障子２の戸先面と縦枠４ａの内周側見込面間にグレモン錠３２が設けてあり、戸先側縦框１６ａの室内側面にグレモンハンドル３３が設けてある。
グレモン錠３２を設けたことで、第１実施形態のように障子２の戸先面に受け６を取付けることができないため、図１０，１１に示すように、戸先側の縦框１６ａの室内側の見付面に受け６を設けている。アーム５は、縦枠４ａの室内側の見付面に取付けたブラケット３４を介して、縦枠４ａの室内側に露出して設けてある。
【００１３】
図１２，１３は、ストッパー機構３を働かせたときの状態を示している。第２実施形態の建具も、第１実施形態と同様に、障子２を少し開けた状態でアーム５を操作することで、アーム５下端部を受け６の係合溝７に係脱させられ、室内側と室外側のどちらからでもストッパー機構３の解除が容易に行える。しかも、受け６の係合溝７の下部にアーム５が外れるのを防ぐ引っ掛かり部８を有することで、通常の使用状態で風等によりストッパー機構３が勝手に外れることを防止できる。
【００１４】
本発明は以上に述べた実施形態に限定されない。アーム、受けの形状、取付け方は、適宜変更することができる。受けの係合溝は、上側が開口していればよく、例えばＬ型の形状とすることもできる。引っ掛かり部は、障子が開こうとしたときに引っ掛かる方の縁に設けてあることが好ましい。本発明の建具は、開き窓に限らず、たてすべり出し窓に適用することもできる。障子の大きさは任意であり、必ずしも人が出入りできる有効開口を有するものでなくてもよい。実施形態のものは、障子の室外側に障子を開くためのハンドルを有していないが、室外側にもハンドルが設けてあってもよい。
【符号の説明】
【００１５】
１  枠
２  障子
３  ストッパー機構
４ａ，４ｂ  縦枠
５  アーム
６  受け
７  係合溝
８  引っ掛かり部
【図１】
0006498555.tif 000002
【図２】
0006498555.tif 000003
【図３】
0006498555.tif 000004
【図４】
0006498555.tif 000005
【図５】
0006498555.tif 000006
【図６】
0006498555.tif 000007
【図７】
0006498555.tif 000008
【図８】
0006498555.tif 000009
【図９】
0006498555.tif 000010
【図１０】
0006498555.tif 000011
【図１１】
0006498555.tif 000012
【図１２】
0006498555.tif 000013
【図１３】
0006498555.tif 000014